(57)【特許請求の範囲】
【請求項１】
番組の映像信号及び音声信号を受信するステップと、番組枠情報を記憶するステップと、前記映像信号及び音声信号を出力するステップと、所望の番組の映像信号及び音声信号を出力している間、前記所望の番組に対するユーザ入力を受け付けるステップと、前記ユーザ入力及び前記記憶された番組枠情報に基づいて前記所望の番組の次回の番組枠情報を取得するステップと、前記取得した番組枠情報に対応する番組の映像信号及び音声信号を記憶するステップと、を備えたことを特徴とする番組受信方法。
【請求項２】
番組の映像信号及び音声信号を受信するステップと、番組枠情報を記憶するステップと、前記映像信号及び音声信号を出力するステップと、所望の番組の映像信号及び音声信号を出力している間、前記所望の番組に対するユーザ入力を受け付けるステップと、前記ユーザ入力及び前記記憶された番組枠情報に基づいて前記所望の番組の次回の番組枠情報を取得するステップと、前記取得した番組枠情報に対応する番組の映像信号及び音声信号を受信する所定時間前にユーザへの視聴促しメッセージを出力するステップと、を備えたことを特徴とする番組受信方法。
【請求項３】
ユーザへの視聴促しメッセージを出力できない場合は、前記取得した番組枠情報に対応する番組の映像信号及び音声信号を記録することを特徴とする請求項２記載の番組受信方法。
【請求項４】
番組の映像信号及び音声信号を受信する番組受信手段と、番組枠情報を記憶する番組枠情報記憶手段と、前記番組受信手段からの映像信号及び音声信号を出力する表示出力手段と、映像信号及び音声信号を記録する記録手段と、前記表示出力手段が所望の番組の映像信号及び音声信号を出力している間、前記所望の番組に対するユーザ入力を受け付ける入力手段と、前記入力手段からのユーザ入力及び前記番組枠情報記憶手段に記憶された番組枠情報に基づいて前記所望の番組の次回の番組枠情報を取得し、前記取得した番組枠情報に対応する番組の映像信号及び音声信号を前記番組受信手段に受信させ前記記録手段に記録させる制御手段と、を備えたことを特徴とするテレビジョン受信機。
【請求項５】
番組の映像信号及び音声信号を受信する番組受信手段と、番組枠情報を記憶する番組枠情報記憶手段と、前記番組受信手段からの映像信号及び音声信号を出力する表示出力手段と、ユーザへの視聴促しメッセージを生成する画面生成手段と、前記表示出力手段が所望の番組の映像信号及び音声信号を出力している間、前記所望の番組に対するユーザ入力を受け付ける入力手段と、前記入力手段からのユーザ入力及び前記番組枠情報記憶手段に記憶された番組枠情報に基づいて前記所望の番組の次回の番組枠情報を取得し、前記取得した番組枠情報に対応する番組の映像信号及び音声信号を前記番組受信手段に受信させる所定時間前に、前記表示出力手段に前記画面生成手段で作成した視聴促しメッセージを合成出力させる制御手段と、を備えたことを特徴とするテレビジョン受信機。
【請求項６】
映像信号及び音声信号を記録する記録手段を更に備え、前記制御手段は、前記表示出力手段の電源がオフの場合は、前記取得した番組枠情報に対応する番組の映像信号及び音声信号を前記記録手段に記録させることを特徴とする請求項５記載のテレビジョン受信機。
【発明の詳細な説明】
【０００１】
【発明の属する技術分野】
本発明は、一度見た番組を再度見たいと思った場合に、次回のその番組を録画予約あるいは視聴予約するようにした番組受信方法およびテレビジョン受信機に関するものである。
【０００２】
【従来の技術】
ビデオテープレコーダにおける通常の録画予約の操作は、▲１▼録画予約ボタン押し、▲２▼曜日指定、▲３▼開始時刻指定、▲４▼終了時刻指定、▲５▼チャンネル指定、▲６▼タイマーボタン押し、の順で行われる。その録画予約の操作の前提として、新聞のテレビ欄や番組情報誌を見て、いつどのチャンネルでどのような番組が放送されるのかを確認しておく必要がある。
【０００３】
より操作の簡単な録画予約に、Ｇコード予約がある。Ｇコード予約の操作は、▲１▼録画予約ボタン押し、▲２▼テンキーによるＧコードの入力（複数回操作）、▲３▼送信ボタン押し、▲４▼タイマーボタン押し、の順で行われる。このＧコード予約の操作の前提として、やはり新聞のテレビ欄や番組情報誌を見て、録画予約したい番組のＧコードを確認しておく必要がある。
【０００４】
【発明が解決しようとする課題】
上記の通常の録画予約の操作もＧコード予約の操作も複数のボタンを所定の順序に従って正しく操作しなければならず、機械類の操作に不慣れなユーザーにとっては大変に煩雑なものであり、操作ミスも起こしがちである。
【０００５】
また、新聞のテレビ欄や番組情報誌で確認することも面倒であるし、それらがないときは予約そのものができない。
【０００６】
特に、ある番組を視聴していて、その番組が気に入り、次回もぜひ見たい、あるいは録画したいと思った場合であっても、その番組を視聴しているという状況自体と予約操作との間には何らの関係も有しておらず、また、予約操作としては上記した煩雑な操作をしなければならないことに変わりはない。
【０００７】
本発明は、このような事情に鑑みて創案されたものであって、ある番組を視聴していて次回も録画・視聴したいと思ったときには、新聞のテレビ欄等で確認する必要なく、ワンタッチ操作でその番組の予約がきわめて簡単にできるようにすることを目的としている。
【０００８】
【課題を解決するための手段】
本発明に係る番組受信方法は、放送予定されている各番組についての曜日・開始時刻・終了時刻・チャンネルからなる番組枠情報を記憶し、ユーザーから現在選局されている番組の放送時間内で同じ番組を少なくとも翌週または翌日に記録または視聴するよう予約操作されると、翌週または翌日で対応する番組についての番組枠情報を検索して一時記憶し、その一時記憶した番組枠情報での曜日・開始時刻になったときに予約された番組を記録し、あるいは一時記憶した曜日・開始時刻の所定時間前になったときに視聴促しメッセージを画面表示することを特徴としている。
【０００９】
ある番組を視聴していて、その番組が気に入って次回の放送で同じ番組を記録または視聴したいと思ったとき、単にボタン等をワンタッチ操作するだけですみ、新聞のテレビ欄や番組情報誌で確認する必要もなければ、従来の場合のように複数のボタンを所定順序で操作しなければならない煩わしさもなく、しかも、実際に番組を見て、内容が記録予約または視聴予約するに値すると確認した番組について予約操作するのであるから、その番組を視聴しているという状況と予約操作との間に密接な関係をもたせることができ、内容的に確実でタイムリーな予約が行える。
【００１０】
【発明の実施の形態】
本発明に係る請求項１の番組受信方法は、番組の映像信号及び音声信号を受信するステップと、番組枠情報を記憶するステップと、前記映像信号及び音声信号を出力するステップと、所望の番組の映像信号及び音声信号を出力している間、前記所望の番組に対するユーザ入力を受け付けるステップと、前記ユーザ入力及び前記記憶された番組枠情報に基づいて前記所望の番組の次回の番組枠情報を取得するステップと、前記取得した番組枠情報に対応する番組の映像信号及び音声信号を記憶するステップとを備えたことを特徴としている。ある番組を視聴していて、その番組が気に入って次回の放送で同じ番組を記録したいと思ったとき、ユーザーはボタン等で記録予約操作しさえすれば、確実に記録予約することができる。新聞のテレビ欄や番組情報誌で確認する必要もなければ、従来の場合のように複数のボタンを所定順序で操作しなければならない煩わしさもなく、番組を見て記録したいと思ったときに単にボタン等をワンタッチ操作するだけですみ、きわめて操作性が良い。テレビ欄等に記載の記事だけでは具体的にどのような内容の番組であるかの予想がほとんどつかないのに対して、実際に番組を見て、内容が記録予約にするに値すると確認した番組について記録予約するのであるから、その番組を視聴しているという状況と予約操作との間に密接な関係をもたせることができ、内容的に確実でタイムリーな記録予約が行える。
【００１１】
本発明に係る請求項２の番組受信方法は、番組の映像信号及び音声信号を受信するステップと、番組枠情報を記憶するステップと、前記映像信号及び音声信号を出力するステップと、所望の番組の映像信号及び音声信号を出力している間、前記所望の番組に対するユーザ入力を受け付けるステップと、前記ユーザ入力及び前記記憶された番組枠情報に基づいて前記所望の番組の次回の番組枠情報を取得するステップと、前記取得した番組枠情報に対応する番組の映像信号及び音声信号を受信する所定時間前にユーザへの視聴促しメッセージを出力するステップと、を備えたことを特徴としている。ある番組を視聴していて、その番組が気に入って次回の放送で同じ番組を視聴したいと思ったとき、ユーザーはボタン等で視聴予約操作しさえすれば、確実に視聴予約することができ、新聞のテレビ欄や番組情報誌で確認することを怠っていても見忘れを防止できる。また、番組を見て次も同じ番組を見たいと思ったときに単にボタン等をワンタッチ操作するだけですみ、きわめて操作性が良い。テレビ欄等に記載の記事だけでは具体的にどのような内容の番組であるかの予想がほとんどつかないのに対して、実際に番組を見て、内容が視聴予約するに値すると確認した番組について視聴予約するのであるから、その番組を視聴しているという状況と予約操作との間に密接な関係をもたせることができ、内容的に確実でタイムリーな視聴予約が行える。また、視聴予約の番組の開始前に視聴促しメッセージを表示するので、その番組を最初から視聴することができる。
【００１２】
本発明に係る請求項３の番組受信方法は、ユーザへの視聴促しメッセージを出力できない場合は、前記取得した番組枠情報に対応する番組の映像信号及び音声信号を記録することを特徴としている。請求項２の場合には表示出力部の電源がＯＦＦで視聴状態になっていないときは、当然、視聴促しメッセージが表示されず、ユーザーは視聴予約した番組を見逃す可能性がある。本請求項３によれば、表示出力部の電源がＯＦＦになっている場合であっても、予約記録を行うので、あとで確実にその番組を見ることができ、見忘れ防止効果を一層高いものとしている。
【００１５】
本発明に係る請求項４のテレビジョン受信機は、番組の映像信号及び音声信号を受信する番組受信手段と、番組枠情報を記憶する番組枠情報記憶手段と、前記番組受信手段からの映像信号及び音声信号を出力する表示出力手段と、映像信号及び音声信号を記録する記録手段と、前記表示出力手段が所望の番組の映像信号及び音声信号を出力している間、前記所望の番組に対するユーザ入力を受け付ける入力手段と、前記入力手段からのユーザ入力及び前記番組枠情報記憶手段に記憶された番組枠情報に基づいて前記所望の番組の次回の番組枠情報を取得し、前記取得した番組枠情報に対応する番組の映像信号及び音声信号を前記番組受信手段に受信させ前記記録手段に記録させる制御手段とを備えたことを特徴としている。ユーザーは視聴している番組を次回にも記録したいときに入力手段で予約操作すると、制御部はその入力によって番組枠情報記憶部の対応する番組枠情報を検索して予約情報を取得し、その予約情報に従って記録部を制御して予約記録する。
【００１６】
本発明に係る請求項５のテレビジョン受信機は、番組の映像信号及び音声信号を受信する番組受信手段と、番組枠情報を記憶する番組枠情報記憶手段と、前記番組受信手段からの映像信号及び音声信号を出力する表示出力手段と、ユーザへの視聴促しメッセージを生成する画面生成手段と、前記表示出力手段が所望の番組の映像信号及び音声信号を出力している間、前記所望の番組に対するユーザ入力を受け付ける入力手段と、前記入力手段からのユーザ入力及び前記番組枠情報記憶手段に記憶された番組枠情報に基づいて前記所望の番組の次回の番組枠情報を取得し、前記取得した番組枠情報に対応する番組の映像信号及び音声信号を前記番組受信手段に受信させる所定時間前に、前記表示出力手段に前記画面生成手段で作成した視聴促しメッセージを合成出力させる制御手段とを備えたことを特徴としている。ユーザーは視聴している番組を次回にも視聴したいときに入力手段で予約操作すると、制御部はその入力によって番組枠情報記憶部の対応する番組枠情報を検索して予約情報を取得し、その予約情報に従って画面生成部を制御して視聴者にメッセージを知らせる。
【００１７】
本発明に係る請求項６のテレビジョン受信機は、上記請求項５において、映像信号及び音声信号を記録する記録手段を更に備え、前記制御手段は、前記表示出力手段の電源がオフの場合は、前記取得した番組枠情報に対応する番組の映像信号及び音声信号を前記記録手段に記録させることを特徴としている。制御部は予約の時刻になったときに表示出力部の電源のＯＮ、ＯＦＦを判定し、ＯＮであればメッセージを表示し、ＯＦＦであれば記録手段を制御して記録する。
【００１９】
以下、本発明に係るテレビジョン受信システムの実施の形態について、図面に基づいて詳細に説明する。
【００２０】
〔実施の形態１〕
実施の形態１は録画予約に関するものである。図１は実施の形態１に係るテレビジョン受信システムの構成を示すブロック図である。図１において、１は放送されるテレビ信号を受信し選局することにより番組の映像信号および音声信号を出力する番組受信部であり、ＲＦ入力端子１ａとチューナ１ｂとを備えている。
【００２１】
２は映像信号を表示し音声信号を出力するスピーカ付きの表示出力部、３は映像信号および音声信号を記録する記録部であり、ここではＶＴＲ（ビデオテープレコーダ）３ａをもって構成されているが、ハードディスクや光ディスクを用いることも考えられる。４は録画予約を行うための操作を行う入力手段であり、入力ボタン４ａと入力回路４ｂとを備えている。この入力手段４は本体に設けるほか、リモコン送信機に設けてもよい。５は曜日・時分秒の時刻情報をカウントして出力する時計手段、６は予め分かっているほぼすべての放送される番組の放送の曜日・開始時刻・終了時刻・チャンネルからなる番組枠情報を記憶している番組枠情報記憶部であり、メモリ６ａで構成されている。このメモリ６ａとしては、内蔵されたＲＯＭ（リードオンリーメモリ）でも外部からセットされるＣＤ−ＲＯＭやＩＣカード、磁気カードなどでもよい。７は全体的な制御を司る制御部である。この制御部７は番組枠情報記憶部６から取得した曜日・開始時刻・終了時刻・チャンネルからなる番組枠情報を留守録制御情報として一時記憶・管理するようになっている。番組枠情報記憶部６が記憶している番組枠情報は、番組枠改正があるにしても年間を通じてほぼ一定である。変更があれば、その都度に番組枠情報記憶部６を更新すればよい。なお、文字多重信号を使って番組枠情報を放送し、この番組枠情報をテレビジョン受信システム側で受信することを通じて番組枠情報記憶部６を自動的に更新することも考えられる。この場合、チューナ１ｂに文字多重デコーダ（図示せず）を接続し、制御部７を介して番組枠情報記憶部６を更新するようにすればよい。
【００２２】
テレビジョン受信システムの大まかな構成パターンとしては、▲１▼受像機とＶＴＲとが一体化された型式、▲２▼受像機とＶＴＲとが別体で双方向接続された型式、▲３▼ＶＴＲにチューナが内蔵されていてＶＴＲ側で選局する型式がある。
【００２３】
通常の視聴モードにおいて制御部７は番組受信部１のチューナ１ｂに選局信号を送り、チューナ１ｂの選局動作によって選局されたテレビ番組の映像が表示出力部２において表示される。ユーザーは図示しない本体またはリモコン送信機のチャンネルボタンを操作して所望のチャンネルの番組を視聴する。その視聴している番組の中で現在視聴している番組が好ましいものであり、翌週または翌日に放送される番組も録画して見たいと思ったときは、現在視聴中の番組の放送時間内にユーザーは入力手段４における入力ボタン４ａを操作する。これにより入力回路４ｂから制御部７に対して録画予約信号が出力される。翌週と翌日を区別するためには、入力ボタン４ａとして翌週用のものと翌日用のものの２つを設けておけばよい。あるいは、入力ボタン４ａは１つとし、翌週のときは１回操作とし、翌日のときは２回連続操作とするようにしてもよい。これらの識別は制御部７で行う。制御部７は、録画予約信号の入力があったときは、現在チューナ１ｂに出力している選局信号が何チャンネルかを認識し、また、時計手段５から時刻情報（曜日・時分秒）を入力し、これらの情報に基づいて番組枠情報記憶部６を検索することにより、ユーザーが現在視聴中の番組についての番組枠情報を取得する。すなわち、その番組が次に放送される曜日・開始時刻・終了時刻・チャンネルからなる番組枠情報を留守録制御情報として取得し、内蔵の記憶手段に一時記憶する。そして、制御部７は、時計手段５からの時刻情報（曜日・時分秒）を監視しておき、一時記憶した留守録制御情報の曜日・開始時刻に達したときに、チューナ１ｂに対して留守録制御情報におけるチャンネルとなるようにチューナ１ｂに対して選局信号を送出するとともに、記録部３のＶＴＲ３ａに対して留守録制御信号を送信してＶＴＲ３ａを録画動作させ、留守録制御情報の終了時刻に達したときに録画を停止させる。
【００２４】
制御部７の動作をフローチャートで説明する。現在視聴中の番組の録画予約を行う入力ボタン４ａとして翌週ボタンと翌日ボタンの２つがあるものとする。図２のフローチャートにおいて、ステップＳ１で入力ボタン４ａの操作を待って、ステップＳ２で翌週ボタンが操作されたかどうかを判断し、翌週ボタンの操作のときはステップＳ３に進んでフラグＦ１  を“１”にセットし、翌日ボタンの操作のときはステップＳ４に進んでフラグＦ２  を“１”にセットする。次いで、ステップＳ５において現在選局中のチャンネルを認識し、ステップＳ６で時計手段５から時刻情報（曜日・時分秒）を取り込む。そして、ステップＳ７で現在選局中のチャンネルと時刻情報（曜日・時分秒）とフラグＦ１  ，Ｆ２  の状態に基づいて番組枠情報記憶部６を検索する。フラグＦ１  が“１”にセットされているときは翌週ボタンが操作されているので、翌週と同じ番組枠である本日の曜日で検索する。フラグＦ２  が“１”にセットされているときは翌日ボタンが操作されているので次の日の曜日で検索する。これにより録画予約すべき番組についての番組枠情報を番組枠情報記憶部６から取得する。すなわち、その番組が次に放送される曜日・開始時刻・終了時刻・チャンネルからなる留守録制御情報を取得し、制御部７の記憶手段にその留守録制御情報を一時記憶する。ステップＳ８でフラグＦ１  ，Ｆ２  をリセットする。
【００２５】
次に、留守録動作について図３のフローチャートで説明する。ステップＳ１１において一時記憶している留守録制御情報の曜日・開始時刻に対して時計手段５から取り込んだ時刻情報（曜日・時分秒）が一致するかどうかを監視し、一致したときはステップＳ１２に進んで留守録制御情報におけるチャンネルとなるようにチューナ１ｂでの選局制御を行い、ステップＳ１３で記録部３のＶＴＲ３ａに対して留守録制御信号（録画信号）を送信して録画動作を行わせ、ステップＳ１４にて留守録制御情報における終了時刻に達するのを待ってステップＳ１５に進み、ＶＴＲ３ａの録画動作を停止させる。
【００２６】
以上のように、ある番組を視聴していて、その番組が気に入り、次回の放送で同じ番組を録画したいと思ったとき、ユーザーは入力ボタン４ａを操作しさえすれば、確実に録画予約することができる。新聞のテレビ欄や番組情報誌で確認する必要はない。従来の場合のように複数のボタンを所定順序で操作しなければならない煩わしさもない。番組を見て録画したいと思ったときに単に入力ボタン４ａをワンタッチ操作するだけですみ、きわめて操作性が良い。テレビ欄等に記載の記事だけでは具体的にどのような内容の番組であるかの予想がほとんどつかない。これに対して、実際に番組を見て、内容が録画予約にするに値すると確認した番組について録画予約するのであるから、その番組を視聴しているという状況と予約操作との間に密接な関係をもたせることができ、内容的に確実でタイムリーな録画予約が行える。
【００２７】
なお、取得した曜日・開始時刻・終了時刻・チャンネルからなる留守録制御情報を制御部７の記憶手段に記憶させることに代えて、ＶＴＲ３ａに転送してＶＴＲ３ａの制御部に記憶させておき、ＶＴＲ３ａの制御部で留守録制御を行うようにしてもよい。この場合、ＶＴＲ３ａの制御部からチューナ１ｂに選局信号が送信されることになる。
【００２８】
〔実施の形態２〕
実施の形態１は録画予約に関するものであったが、この実施の形態２は視聴予約に関するものである。したがって、映像・音声の記録部（ＶＴＲ）は必ずしも必要としない。図４は実施の形態２に係るテレビジョン受信システムの構成を示すブロック図である。図４において、符号１から７までについては図１の構成と同様であり、１は放送されるテレビ信号を受信し選局することにより番組の映像信号および音声信号を出力する番組受信部であり、ＲＦ入力端子１ａとチューナ１ｂとを備えている。２は映像信号を表示し音声信号を出力するスピーカ付きの表示出力部、４はここでは視聴予約を行うための操作を行う入力手段であり、入力ボタン４ａと入力回路４ｂとを備えている。この入力手段４は本体に設けるほか、リモコン送信機に設けてもよい。５は曜日・時分秒の時刻情報をカウントして出力する時計手段、６は予め分かっているほぼすべての放送される番組の放送の曜日・開始時刻・終了時刻・チャンネルからなる番組枠情報を記憶している番組枠情報記憶部であり、メモリ６ａで構成されている。このメモリ６ａとしては、内蔵されたＲＯＭ（リードオンリーメモリ）でも外部からセットされるＣＤ−ＲＯＭやＩＣカード、磁気カードなどでもよい。７は全体的な制御を司る制御部である。この制御部７は番組枠情報記憶部６から取得した曜日・開始時刻・終了時刻・チャンネルからなる番組枠情報のうち曜日・開始時刻・チャンネルを視聴予約情報として一時記憶・管理するようになっている。８は制御部７から入力した視聴予約情報を画面化する画面生成部であり、キャラクタジェネレータが用いられる。この画面生成部８は、例えば「○○時○○分から○○チャンネルが予約されています」といった視聴予約の番組開始を視聴者に知らせてその番組の視聴を促すメッセージを生成する。９はチューナ１ｂで選局された映像信号に対して画面生成部８から入力した視聴促しメッセージをスーパーインポーズして表示出力部２に送出する画面合成部である。番組枠情報記憶部６が記憶している番組枠情報に変更があれば、その都度に番組枠情報記憶部６を更新すればよい。なお、文字多重信号を使って番組枠情報を放送し、この番組枠情報をテレビジョン受信システム側で受信することを通じて番組枠情報記憶部６を自動的に更新することも考えられる。この場合、チューナ１ｂに文字多重デコーダ（図示せず）を接続し、制御部７を介して番組枠情報記憶部６を更新するようにすればよい。
【００２９】
通常の視聴モードにおいて制御部７は番組受信部１のチューナ１ｂに選局信号を送り、チューナ１ｂの選局動作によって選局されたテレビ番組の映像が表示出力部２において表示される。このときもちろん、画面合成部９におけるスーパーインポーズは行われない。ユーザーは図示しない本体またはリモコン送信機のチャンネルボタンを操作して所望のチャンネルの番組を視聴する。その視聴している番組の中で現在視聴している番組が好ましいものであり、翌週または翌日に放送される番組も（録画ではなく）直接に視聴して見たいと思ったときは、現在視聴中の番組の放送時間内にユーザーは入力手段４における入力ボタン４ａを操作する。これにより入力回路４ｂから制御部７に対して視聴予約信号が出力される。翌週と翌日を区別するためには、入力ボタン４ａとして翌週用のものと翌日用のものの２つを設けておけばよい。あるいは、入力ボタン４ａは１つとし、翌週のときは１回操作とし、翌日のときは２回連続操作とするようにしてもよい。これらの識別は制御部７で行う。制御部７は、視聴予約信号の入力があったときは、現在チューナ１ｂに出力している選局信号が何チャンネルかを認識し、また、時計手段５から時刻情報（曜日・時分秒）を入力し、これらの情報に基づいて番組枠情報記憶部６を検索することにより、ユーザーが現在視聴中の番組についての番組枠情報を取得する。すなわち、その番組が次に放送される曜日・開始時刻・終了時刻・チャンネルからなる番組枠情報のうち曜日・開始時刻・チャンネルを視聴予約情報として取得し（終了時刻は除く）、内蔵の記憶手段に一時記憶する。そして、制御部７は、時計手段５からの時刻情報（曜日・時分秒）を監視しておき、一時記憶した視聴予約情報の曜日・開始時刻に達したときに、視聴予約情報のうちの開始時刻・チャンネルを画面生成部８に出力する。画面生成部８は「○○時○○分から○○チャンネルが予約されています」という視聴促しメッセージを生成し、その視聴促しメッセージを画面合成部９においてスーパーインポーズし、表示出力部２において現在視聴中の番組の画面に視聴促しメッセージを合成表示する。
【００３０】
制御部７の動作をフローチャートで説明する。現在視聴中の番組の視聴予約を行う入力ボタン４ａとして翌週ボタンと翌日ボタンの２つがあるものとする。図５のフローチャートにおいて、ステップＳ２１で入力ボタン４ａの操作を待って、ステップＳ２２で翌週ボタンが操作されたかどうかを判断し、翌週ボタンの操作のときはステップＳ２３に進んでフラグＦ１  を“１”にセットし、翌日ボタンの操作のときはステップＳ２４に進んでフラグＦ２  を“１”にセットする。次いで、ステップＳ２５において現在選局中のチャンネルを認識し、ステップＳ２６で時計手段５から時刻情報（曜日・時分秒）を取り込む。そして、ステップＳ２７で現在選局中のチャンネルと時刻情報（曜日・時分秒）とフラグＦ１  ，Ｆ２  の状態に基づいて番組枠情報記憶部６を検索する。フラグＦ１  が“１”にセットされているときは翌週ボタンが操作されているので、翌週と同じ番組枠である本日の曜日で検索する。フラグＦ２  が“１”にセットされているときは翌日ボタンが操作されているので次の日の曜日で検索する。これにより視聴予約すべき番組についての番組枠情報を番組枠情報記憶部６から取得する。すなわち、その番組が次に放送される曜日・開始時刻・チャンネルからなる視聴予約情報を取得し、制御部７の記憶手段にその視聴予約情報を一時記憶する。ステップＳ２８でフラグＦ１  ，Ｆ２  をリセットする。
【００３１】
次に、視聴促し動作について図６のフローチャートで説明する。ステップＳ３１において一時記憶している視聴予約情報の曜日・開始時刻に対して時計手段５から取り込んだ時刻情報（曜日・時分秒）が１分前となるに至ったかどうかを監視し、１分前となったときはステップＳ３２に進んで制御部７は一時記憶している視聴予約情報のうちの開始時刻とチャンネルを画面生成部８に送出する。ステップＳ３３で画面生成部８は入力した開始時刻とチャンネルとに基づいて「○○時○○分から○○チャンネルが予約されています」という視聴促しメッセージを生成する。そして、ステップＳ３４で画面合成部９はチューナ１ｂからの映像信号に対して画面生成部８からの視聴促しメッセージをスーパーインポーズする。
【００３２】
この視聴促しメッセージは表示出力部２において現在視聴中の番組の画面に合成表示される。視聴促しメッセージの合成表示は、現在視聴中の番組がどのチャンネルのものであっても行われる。ステップＳ３５でタイムアップするのを待ってステップＳ３６に進み、視聴促しメッセージの合成表示を消去する。すなわち、画面生成部８からの視聴促しメッセージの出力を停止する。
【００３３】
「○○時○○分から○○チャンネルが予約されています」という視聴促しメッセージの表示を見たユーザーは、現在のチャンネルが視聴予約のチャンネルとなっていればよいが、別のチャンネルとなっているときは、メッセージに表示されたチャンネルへと切り換える。これにより、視聴予約した番組を予定通りに視聴することができる。
【００３４】
以上のように、ある番組を視聴していて、その番組が気に入り、次回の放送で同じ番組を視聴したいと思ったとき、ユーザーは入力ボタン４ａを操作しさえすれば、確実に視聴予約することができ、新聞のテレビ欄や番組情報誌で確認することを怠っていても見忘れを防止できる。また、番組を見て次も同じ番組を見たいと思ったときに単に入力ボタン４ａをワンタッチ操作するだけですみ、きわめて操作性が良い。テレビ欄等に記載の記事だけでは具体的にどのような内容の番組であるかの予想がほとんどつかないのに対して、実際に番組を見て、内容が視聴予約にするに値すると確認した番組について視聴予約するのであるから、その番組を視聴しているという状況と予約操作との間に密接な関係をもたせることができ、内容的に確実でタイムリーな視聴予約が行える。また、視聴予約の番組の開始前に視聴促しメッセージを表示するので、その番組を最初から視聴することができる。
【００３５】
なお、番組枠情報記憶部６から番組タイトルを取得し、そのタイトルを含んだ視聴促しメッセージ、例えば「○○時○○分から○○チャンネルで○○○○○が予約されています」を表示するようにしてもよい。また、視聴促しメッセージの表示の際に、警告音を発するようにしてもよい。開始時刻前の時間の１分前は一例にすぎず、この時間は適当に設定してよい。また、ユーザーが変更できるようにしてもよい。
【００３６】
〔実施の形態３〕
実施の形態２の場合には表示出力部２の電源がＯＮになっていないとき、すなわち視聴状態になっていないときは、当然、視聴促しメッセージが表示されず、ユーザーは視聴予約した番組を見逃す可能性がある。そこで、この実施の形態３は、表示出力部の電源ＯＦＦの場合には録画動作を行わせるように構成したものである。この場合には、当然にＶＴＲ３ａなどからなる記録部３が必要である。
【００３７】
図７は実施の形態３に係るテレビジョン受信システムの構成を示すブロック図である。図７において、符号１から７までについては図１の構成と同様であり、符号８、９については図４の構成と同様であるので、繰り返しの説明は避ける。
【００３８】
録画予約ないし視聴予約の操作は実施の形態１の場合とほぼ同様であり、その動作は図２のフローチャートと同様に表せる。
【００３９】
予約の開始時刻になったときからの動作は図８に示すフローチャートのとおりである。ステップＳ４１において制御部７で一時記憶している予約制御情報の曜日・開始時刻に対して時計手段５から取り込んだ時刻情報（曜日・時分秒）が一致するかどうかを監視し、一致したときはステップＳ４２に進んで表示出力部２の電源がＯＮになっているかどうかを判断し、ＯＦＦのときはステップＳ４３に進んで記録部３のＶＴＲ３ａを制御して留守録動作を行わせる。この留守録動作は図３のステップＳ１２〜Ｓ１５と同様である。表示出力部２の電源がＯＮになっているときはステップＳ４４に進んで、現在の選局チャンネルが視聴予約のチャンネルと一致しているかどうかを判断し、一致していないときはステップＳ４５に進み、例えば「予約しているチャンネルと違っています」といった注意を促す視聴メッセージを表示する。この視聴メッセージは、制御部７による画面生成部８の駆動により、画面生成部８で生成されるものであり、また、画面合成部９において映像信号にスーパーインポーズされる。なお、視聴メッセージとしては、「予約しているのは○○チャンネルです」といったものでもよい。ユーザーは、この視聴メッセージを見て予約のチャンネルに切り換える。現在の選局チャンネルが視聴予約のチャンネルと一致しているときは、特に何もしないでもよいが、ステップＳ４６のように「予約チャンネルはこのチャンネルです」といった確認のための視聴メッセージを表示するようにしてもよい。
【００４０】
本実施の形態３によれば、表示出力部２の電源がＯＦＦになっている場合であっても、留守録動作を行うので、あとで確実にその番組を見ることができ、見忘れ防止効果を一層高めている。
【００４１】
〔実施の形態４〕
この実施の形態４は、番組枠情報におけるほぼすべての番組について、その番組を視聴しているユーザーに対して、その番組の終了時刻の所定時間前（例えば１分前）に、次回も同じ番組を見たいかどうかの問いのメッセージを送るようにしたものである。この実施の形態４のテレビジョン受信システムの構成としては、実施の形態１〜３のいずれであってもよい。
【００４２】
図９のフローチャートに基づいて動作を説明する。ステップＳ５１において現在視聴している番組の終了時刻を読み込む。現在視聴している番組の特定は、制御部７が把握している現在選局中のチャンネルと時計手段５から入力した時刻情報（曜日・時分秒）とに基づいて、番組枠情報記憶部６を検索して該当の番組を探し出せばよく、これによって現在視聴している番組の終了時刻を読み込むことができる。ステップＳ５２において時計手段５による現在時刻が番組終了時刻の１分前になったかどうかを判断し、なったときはステップＳ５３に進んで、例えば「この番組を来週・明日も見たいですか？見たいときは入力ボタンを押して下さい」といった予約入力促しメッセージを表示する。このメッセージは、制御部７による画面生成部８の駆動により、画面生成部８で生成されるものであり、また、画面合成部９において映像信号にスーパーインポーズされる。ステップＳ５４でタイムアップするのを待ってステップＳ５５に進み、予約入力促しメッセージの表示を消去する。なお、この動作は、まだ予約が行われていなくても実行されるし、すでに別番組の予約が行われているときでも実行される。
【００４３】
実施の形態１〜３の場合は、予約操作を行うか否かはまったくユーザーの意思にゆだねられていた。実施の形態４は予約操作を行うことについてユーザーの意思に問いかけを行うものである。これにより、予約忘れ防止の機能をもたせ、見忘れ防止の機能を一層用心深いものに仕立てることができる。なお、構成として実施の形態１〜３のいずれかを前提とするのは、上記のような予約入力促しメッセージの表示がされても、もしその予約自体を受け付ける機能を有していなければ何らの役にも立たないからである。
【００４４】
〔実施の形態５〕
実施の形態４ではすべての番組について、その終了直前に予約入力促しメッセージを表示するようにした。これでは、ユーザーによっては視聴上わずらわしいと思う場合もでてくる。そこで、実施の形態５は、見る頻度の高い番組に限って予約入力促しメッセージを表示するように構成したものである。この実施の形態５のテレビジョン受信システムの構成としては、実施の形態１〜３のいずれであってもよい。
【００４５】
図１０は制御部７が備えているテーブル７ａを示す。このテーブル７ａは、１回以上予約された番組についての予約回数の履歴データを格納するためのものである。データ項目として、曜日・開始時刻・終了時刻・チャンネルおよび予約回数がある。予約回数の数値としては、ここでは１から５までである。５を超えて６になることはない。５が最大値となっている。つまり、予約回数が５に達した番組に限って予約入力促しメッセージを表示させるのである。ただし、これは一例である。▲１▼「日曜・２０：００・２１：００・２ｃｈ」の予約回数は５であり、▲２▼「土曜・１９：００・２１：３０・４ｃｈ」の予約回数も５であり、▲３▼「木曜・２１：００・２２：００・１２ｃｈ」の番組の予約回数は４であり、▲４▼「金曜・１９：３０・２０：００・６ｃｈ」の番組の予約回数は３であり、▲５▼「月曜・１９：００・２０：００・４ｃｈ」の番組の予約回数は２であり、▲６▼「火曜・２２：００・２３：００・２ｃｈ」の番組の予約回数は１となっている。もし、▲６▼の番組が再度予約されると予約回数はインクリメントされて２となる。▲１▼の番組が再度予約されても予約回数はインクリメントされず、５のままである。
【００４６】
この予約回数の管理の動作を図１１のフローチャートに基づいて説明する。入力ボタン４ａの操作により予約がなされたとき、ステップＳ６１においてその予約に係る番組枠情報がテーブル７ａにすでに存在しているかどうかをチェックし、存在していないときは１回目の予約入力であるとしてステップＳ６２に進み、その新規な番組枠情報をテーブル７ａに登録した後、ステップＳ６３で予約回数Ｎに１をセットする。予約に係る番組枠情報がテーブル７ａにすでに存在しているときは２回目以降の予約入力であるとしてステップＳ６４に進み、予約回数Ｎが５に達しているか否かを判断し、４以下のときはステップＳ６５に進んで予約回数Ｎを＋１インクリメントするが、５に達しているときはインクリメントを行わない。
【００４７】
現在視聴している番組の終了直前での予約入力促しメッセージの表示制御の動作を図１２のフローチャートに示す。ステップＳ７１，Ｓ７２は図９のステップＳ５１，Ｓ５２と同じであり、現在視聴中の番組の終了時刻を読み込み、現在時刻が終了時刻の１分前かどうかを判断する。１分前になったときステップＳ７３に進み、テーブル７ａを検索して現在視聴中の番組がテーブル７ａにおいて予約回数Ｎが５に達しているかどうかを判断する。予約回数Ｎが５に達しているときに限ってステップＳ７４〜Ｓ７６へと進み、予約入力促しメッセージを表示し、カウントアップを待って表示を消去する。予約回数Ｎが４以下（０の場合も含む）のときは予約入力促しメッセージの表示は行わない。
【００４８】
予約回数が所定回数（上の例では５回）に達しており、見る頻度の高い番組については、その番組の終了直前に予約入力促しメッセージの表示を行ってユーザーに予約忘れ防止の便宜を与える一方、見る頻度が低く予約回数がまだ所定回数に達していない番組については予約入力促しメッセージの表示を行わないので、視聴上のわずらわしさを除去することができる。
【００４９】
なお、将来的には、記録部３としてＶＴＲ３ａの代わりに数１００Ｇバイトのハードディスクや半導体メモリを用いることも考えられる。この場合、全チャンネルにつき１日２４時間の全番組を１ヵ月分にわたって記録しておくことができるようになる。この場合に、制御部７にテーブル７ａを設ける代わりに、そのハードディスクにテーブル７ａを設けるのがよい。なお、上記各実施の形態において、番組枠情報記憶部にＧコードを記憶させ、翌週や翌日の録画予約、視聴予約をすることも可能である。
【００５０】
【発明の効果】
本発明によれば、ある番組を視聴していて、その番組が気に入って次回の放送で同じ番組を記録または視聴したいと思ったとき、単にボタン等をワンタッチ操作するだけですみ、新聞のテレビ欄や番組情報誌で確認する必要もなければ、従来の場合のように複数のボタンを所定順序で操作しなければならない煩わしさもなく、しかも、実際に番組を見て、内容が記録予約または視聴予約するに値すると確認した番組について予約操作するのであるから、その番組を視聴しているという状況と予約操作との間に密接な関係をもたせることができ、内容的に確実でタイムリーな予約を行うことができる。
【図面の簡単な説明】
【図１】本発明の実施の形態１に係るテレビジョン受信システムの構成を示すブロック図である。
【図２】実施の形態１における録画予約の動作を示すフローチャートである。
【図３】実施の形態１における留守録動作を示すフローチャートである。
【図４】本発明の実施の形態２に係るテレビジョン受信システムの構成を示すブロック図である。
【図５】実施の形態２における視聴予約の動作を示すフローチャートである。
【図６】実施の形態２における視聴促しメッセージの表示動作を示すフローチャートである。
【図７】本発明の実施の形態３に係るテレビジョン受信システムの構成を示すブロック図である。
【図８】実施の形態３における予約動作を示すフローチャートである。
【図９】実施の形態４における予約入力促しメッセージの表示動作を示すフローチャートである。
【図１０】実施の形態５における制御部が備えるテーブルの図である。
【図１１】実施の形態５における予約回数管理の動作を示すフローチャートである。
【図１２】実施の形態５における予約入力促しメッセージの表示動作を示すフローチャートである。
【符号の説明】
１……番組受信部
１ｂ…チューナ
２……表示出力部
３……記録部
３ａ…ＶＴＲ
４……入力手段
４ａ…入力ボタン
５……時計手段
６……番組枠情報記憶部
６ａ…メモリ
７……制御部
７ａ…テーブル
８……画面生成部
９……画面合成部
【図１】
0003564220.tif 000002
【図２】
0003564220.tif 000003
【図３】
0003564220.tif 000004
【図４】
0003564220.tif 000005
【図５】
0003564220.tif 000006
【図６】
0003564220.tif 000007
【図７】
0003564220.tif 000008
【図８】
0003564220.tif 000009
【図９】
0003564220.tif 000010
【図１０】
0003564220.tif 000011
【図１１】
0003564220.tif 000012
【図１２】
0003564220.tif 000013